(57)【要約】      （修正有）【課題】電動式ドア乃至ウインド装着車両船舶等の移動機関乃至作業車両に及ぶドア乃至ウインドの開閉機構に関し、水難事に到り浸水漏電乃至断線等による電動式ドア乃至ウインドの開閉故障のために、より安全性を確保した開閉機構を提供する。【解決手段】電動式ドア乃至ウインドの開閉故障事故の回避をはかり電動式乃至手動式ドア乃至ウインド併用型開閉機構で、望ましくは更に、予備装置の安全なガス式で望ましくは圧搾空気使用型開閉機構ドア乃至ウインドを包含併用したことで、３通りの安全機構配備による、いざと云う事態でも安心が得られ、安全に内外に出入り出来る様にした当該装置の開閉機構。【選択図】なし【特許請求の範囲】
【請求項１】
当該発明は、電動式ドア乃至ウインド装着車両乃至船舶等の移動機関乃至作業車両等に及ぶドア乃至ウインド開閉機構について、特に水難事故を回避するための手段として電動式乃至手動式ドア乃至ウインド併用型開閉機構。
【請求項２】
当該発明は、電動式ドア乃至ウインド装着車両乃至船舶等の移動機関乃至作業車両等に及ぶ、ドア乃至ウインド開閉機構について、特に水難事故を回避するための手段として電動式乃至手動式ウインド併用型開閉機構であって該発明は、浸水時の漏電による電動式ドア乃至ウインドの開閉故障の回避をはかり、安全に内外に出入り出来る様にしたことを特徴とする当該装置の開閉機構。
【請求項３】
当該発明は、電動式ドア乃至ウインド装着車両乃至船舶等の移動機関乃至作業車両等に及ぶドア乃至ウインド開閉機構について、特に水難事故を回避するための手段として電動式乃至手動式ドア乃至ウインド併用型開閉機構であって該発明は、浸水時の漏電による電動式ドア乃至ウインドの開閉故障の回避をはかり、望ましくは更に、予備装置の安全なガス式で望ましくは圧搾空気使用型開閉機構ドア乃至ウインドを併用したことで、３通りの安心機構配備による安全性を有し、内外に出入り出来る様にしたことを、特徴とする当該装置の開閉機構。
【発明の詳細な説明】
【発明の詳細な説明】
当該発明は、電動式ドア乃至ウインド装着車両乃至船舶等の移動機関乃至作業車両等に及ぶドア乃至ウインド開閉機構について、特に水難事故を回避するための手段として電動式乃至手動式ドア乃至ウインド併用型開閉機構であって該発明は、浸水時の漏電による電動式ドア乃至ウインドの開閉故障の回避をはかり、望ましくは更に、予備装置の安全なガス式で、望ましくは圧搾空気使用型開閉機構ドア乃至ウインドを包含併用したことで、３通りの安心機構配備による、いざと云う事態でも安心が得られ、安全性を有し内外に出入り出来る様にしたことを、特徴とする当該装置の開閉機構を奏する。
【技術分野】
【０００１】当該発明は、電動式ドア乃至ウインド装着車両乃至船舶等の移動機関乃至作業車両に及ぶドア乃至ウインド開閉機構に関する。
【背景技術】
【０００２】従来、一般に於いて最も普及率の高い電動式ドア乃至ウインド装着車両乃至船舶等の移動機関乃至作業車両に及ぶドア乃至ウインド開閉機構に関し、運転席若しくは操縦席近くににドア乃至ウインド操作スイッチが纏めてあるのが通常で、手動式との併用は無く、電源スイッチをＯＦＦの状態にしてしまうと、既存の装置を開閉しようと思えば電源スイッチをＯＮの状態にしなければならず、大変エネルギーが無駄になり、その操作も億劫なものであった。また装置の老朽化にともない、物理的にその動きも次第に鈍くなり整備の回数も増し維持管理に時間と経費が嵩むようになります。また手動式の開閉機構の場合には、走行ないし操縦運行に際し助手席や離れた箇所の操作は困難なもので、また危険性も伴ない不便さを禁じえないものであった。【０００３】  特に水難事故等に於いては、普及率の高い電動開閉式ドア乃至ウインドの浸水漏電によって開閉故障または、水圧によるドアが開かず其のために、幾多の尊い生命財産等が、奪われてきたことは周知の事実として広く知られています。そこで、一つの自衛策として尖頭型ハンマー等を、携帯して緊急時に使用してウインドを砕き割り、外に救いを求めて、また救出のため出入り出来る様に外部より尖頭型ハンマーや切削機等を使用して、ドア乃至ウインドを切断乃至砕き割り救出していた。しかし上記したような事柄でその価値を失い、新たな危険物ゴミの散乱を招き、後処理に要する手間乃至経費が繋っていた。
【発明が解決しようとする課題】
【０００４】  上記したように、単独の操作要領機構では、いくつもの不便さ乃至危険性も伴ないかねず、エネルギーの無駄も伴ないます。特に水難乃至事故に到り、浸水漏電乃至断線等による電動式ドア乃至ウインドの開閉故障の事故など、その時の従来技術としては、尖頭型ハンマー等を携帯して緊急時に使用し、ウインドを砕き割り外に救いを求めていたのが現状です。また緊急時救出のため出入り出来る様に外部より尖頭型ハンマーや、切削機等を使用して、ドア乃至ウインドを切断乃至砕き割り救出していました。しかしそれは、新たな危険物ゴミの散乱を招き、後処理に要する手間乃至経費が繋っていた事と、幾多の尊い生命財産物品などを従来の技術が奪ってしまって来ていたことも事実です。前記しました不安材料に対する工夫と改善に取り組み、より安全性を確保した開閉機構の提供を目的とする。
【課題を解決するための手段】
【０００５】  上記目的を達成するために、当該発明は、電動式ドア乃至ウインド装着車両乃至船舶等の移動機関乃至作業車両等に及ぶドア乃至ウインド開閉機構について、最も重大な水難乃至事故を、回避するための手段として電動式乃至手動式ドア乃至ウインド併用型開閉機構であって該発明は、浸水時の漏電による電動式ドア乃至ウインドの開閉故障の回避をはかり、望ましくは更に予備装置の併用でそれは安全なガス式が優れ、望ましくは圧搾空気使用型開閉機構ドア乃至ウインドを包含併用した開閉機構で、３通りの安全機構配備による、いざと云う事態でも安心が得られ、安全に内外に出入り出来る様にしたことを、特徴とする当該装置の開閉機構。
【発明実施の形態】
【０００６】  当該発明は、電動式ドア乃至ウインド装着車両乃至船舶等の移動機関乃至作業車両等に及ぶドア乃至ウインド開閉機構について、最も重要な事は、利用者の生命財産を守れる手段であり、水難乃至事故を回避するための機構として、それは電動式乃至手動式ドア乃至ウインド併用型開閉機構であって該発明は、浸水時の漏電による電動式ドア乃至ウインドの開閉故障の回避をはかり、望ましくは更に、予備装置の安全なガス式で、望ましくは圧搾空気使用型開閉機構ドア乃至ウインドを包含併用したことで、３通りの安全機構配備により、いざと云う事態でも安心が得られ、安全に内外に出入り出来る様にしたことを、特徴とする当該装置の開閉機構。
【発明の効果】
【０００７】  当該発明は、電動開閉式ドア乃至ウインド装着車両乃至船舶等の移動機関、乃至作業車両等に及ぶドア乃至ウインド開閉機構について、利便性乃至危険回避の先方として、特に水難乃至事故を回避するため最善の手段として、電動式乃至手動式ドア乃至ウインド併用型開閉機構であって、該発明は、浸水時の漏電による電動式ドア乃至ウインドの開閉故障の回避をはかり、更に望ましくは、予備装置の安全なガス式装置で望ましくは圧搾空気使用型開閉機構のドア乃至ウインドを包含併用したことで、３通りの安全機構配備により、いざと云う事態でも安心が得られ、安全に内外に出入り出来る様にしたことを、特徴とする。当該発明装置の開閉機構を有する事により、水難乃至事故に到り、浸水漏電乃至断線等による電動式ドア乃至ウインドの開閉故障の事故など、その時の従来技術としては、尖頭型ハンマー等を携帯して緊急時に使用し、ウインドを砕き割り外に救いを求めていた。また緊急時救出のため出入り出来る様に外部より尖頭型ハンマーや、切削機等を使用して、ドア乃至ウインドを切断乃至砕き割り救出していた。がしかし新たな危険物ゴミの散乱を招き、後かたずけに要する手間乃至経費が繋っていた。付随して幾多の尊い生命、財産物品などを従来の技術機構が奪ってしまって来ていた事実。当該発明によれば、３通りの安全機構配備によるために、いざと云う事態でも安心が得られ、安全に内外に出入り出来る様にしたことを、特徴とする当該装置の開閉機構を奏する。